(57)【要約】【課題】着用者の胴部を圧迫することなく、着用位置からのずれ下がりを防ぐことができるパンツ型の使い捨ておむつを提供する。【解決手段】このおむつ１０Ａは、着用位置からのずれ下がりを防止する帯状のずれ止めテープ２４，２６が前後胴周り域１１，１３の中央部分２３，２５に配置されている。テープ２４，２６は、中央部分２３，２５に固着された固定端部２７，３６と、縦方向へ延びる自由部２８，３７とから形成されている。自由部２８，３７は、折曲線３０，３９を介して２つに折り畳まれ、固定端部２７，３６から縦方向下方へ延びる部分３１，４０と、着用者の胴部に貼付可能な止着域３４，４３を有して折曲線３０，３９から縦方向上方へ延びる部分３２，４１とに区分されている。おむつ１０Ａでは、止着域３４，４３を介して部分３２，４１を着用者の胴部に止着すると、おむつ１０Ａがテープ２４，２６を介して着用者の胴部に吊られた状態となる。【選択図】図１
2005319010.tif 000002
【特許請求の範囲】
【請求項１】
互いに対向する前胴周り域と後胴周り域との間に股下域が位置し、胴周り開口と一対の脚周り開口とが形成され、前記胴周り開口を囲繞して横方向へ環状に延びる胴周り周縁部と、前記脚周り開口を囲繞して縦方向へ環状に延びる脚周り周縁部とを有するパンツ型の使い捨ておむつにおいて、
着用した前記おむつの着用位置からのずれ下がりを防止する帯状の第１ずれ止めテープが、前記前胴周り域と前記後胴周り域とのうちの少なくとも該前胴周り域の横方向中央部分に配置され、前記第１ずれ止めテープが、前記中央部分の外面に固着された第１固定端部と、前記第１固定端部に連なって縦方向へ延びる第１自由部とから形成され、前記第１自由部が、着用者の胴部に貼付可能な粘着性第１止着域を有するとともに、横方向へ延びる折曲線を介して折り畳まれ、
前記第１ずれ止めテープでは、折り畳まれた前記第１自由部を展開して前記第１固定端部の縦方向上方へ伸ばしたときに、前記第１止着域が前記中央部分に延びる胴周り周縁部を越えて該胴周り周縁部の縦方向上方に延出することを特徴とする前記おむつ。
【請求項２】
着用した前記おむつの着用位置からのずれ下がりを防止する帯状の第２ずれ止めテープが、前記前胴周り域と前記後胴周り域とをつなぐ胴周り両側部分に配置され、前記第２ずれ止めテープが、前記両側部分の外面に固着された第２固定端部と、前記第２固定端部に連なって縦方向へ延びる第２自由部とから形成され、前記第２自由部が、着用者の胴部に貼付可能な粘着性第２止着域を有するとともに、横方向へ延びる折曲線を介して折り畳まれ、
前記第２ずれ止めテープでは、折り畳まれた前記第２自由部を展開して前記第２固定端部の縦方向上方へ伸ばしたときに、前記第２止着域が前記両側部分に延びる胴周り周縁部を越えて該胴周り周縁部の縦方向上方に延出する請求項１記載のおむつ。
【請求項３】
前記第１止着域と前記第２止着域とには、医療用粘着性ゲルと医療用粘着剤とのうちのいずれか一方が塗布されている請求項２記載のおむつ。
【発明の詳細な説明】
【技術分野】
【０００１】
本発明は、排泄物を吸収保持するパンツ型の使い捨ておむつに関する。
【背景技術】
【０００２】
互いに対向する前胴周り域と後胴周り域との間に股下域が位置し、前後胴周り域の合掌状に重なり合う胴周り両側部分が固着されて胴周り開口と一対の脚周り開口とが形成され、胴周り開口を囲繞して横方向へ環状に延びる胴周り周縁部と、脚周り開口を囲繞して縦方向へ環状に延びる脚周り周縁部とを有するパンツ型の使い捨ておむつがある（特許文献１参照）。
【０００３】
胴周り周縁部には、横方向へ環状に延びる複数条の胴周り用弾性部材が収縮可能に取り付けられている。胴周り周縁部の下方における前後胴周り域には、横方向へ環状に延びる複数条の補助弾性部材が収縮可能に取り付けられている。脚周り周縁部には、縦方向へ環状に延びる複数条の脚周り用弾性部材が収縮可能に取り付けられている。このおむつは、それら弾性部材が着用者の胴部と脚部とを締め付けるので、弾性部材の収縮力を利用して着用したおむつの着用位置からのずれ下がりを防ぐことができる。
【特許文献１】特開２００３−１２６１４８号公報
【発明の開示】
【発明が解決しようとする課題】
【０００４】
特許文献１に開示のおむつでは、胴周り用弾性部材や補助弾性部材の伸長応力および着用者の胴周り寸法にもよるが、それら弾性部材が着用者の胴部を必要以上に締め付けると、それら弾性部材によって着用者の胴部が圧迫され、着用者に不快な圧迫感を与える。また、着用者の胴部が胴周り用弾性部材や補助弾性部材によって長時間圧迫されると、それら弾性部材によって着用者の腹式呼吸が妨げられることはもちろん、胴部に多数の圧迫跡が付いてしまう場合がある。
【０００５】
本発明の目的は、着用者の胴部を圧迫することなく、着用位置からのずれ下がりを防ぐことができるパンツ型の使い捨ておむつを提供することにある。
【課題を解決するための手段】
【０００６】
前記課題を解決するための本発明の前提は、互いに対向する前胴周り域と後胴周り域との間に股下域が位置し、胴周り開口と一対の脚周り開口とが形成され、胴周り開口を囲繞して横方向へ環状に延びる胴周り周縁部と、脚周り開口を囲繞して縦方向へ環状に延びる脚周り周縁部とを有するパンツ型の使い捨ておむつである。
【０００７】
前記前提における本発明の特徴は、着用したおむつの着用位置からのずれ下がりを防止する帯状の第１ずれ止めテープが、前胴周り域と後胴周り域とのうちの少なくとも該前胴周り域の横方向中央部分に配置され、第１ずれ止めテープが、中央部分の外面に固着された第１固定端部と、第１固定端部に連なって縦方向へ延びる第１自由部とから形成され、第１自由部が、着用者の胴部に貼付可能な粘着性第１止着域を有するとともに、横方向へ延びる折曲線を介して折り畳まれていることにある。本発明では、第１ずれ止めテープの折り畳まれた第１自由部を展開して第１固定端部の縦方向上方へ伸ばしたときに、第１止着域が中央部分に延びる胴周り周縁部を越えて該胴周り周縁部の縦方向上方に延出する。本発明は、第１止着域を着用者の胴部に貼付して第１自由部を胴部に止着すると、おむつが第１ずれ止めテープを介して胴部に吊られた状態となる。
【０００８】
本発明の実施態様の一例は、着用したおむつの着用位置からのずれ下がりを防止する帯状の第２ずれ止めテープが、前胴周り域と後胴周り域とをつなぐ胴周り両側部分に配置され、第２ずれ止めテープが、両側部分の外面に固着された第２固定端部と、第２固定端部に連なって縦方向へ延びる第２自由部とから形成され、第２自由部が、着用者の胴部に貼付可能な粘着性第２止着域を有するとともに、横方向へ延びる折曲線を介して折り畳まれている。この実施態様における発明では、第２ずれ止めテープの折り畳まれた第２自由部を展開して第２固定端部の縦方向上方へ伸ばしたときに、第２止着域が両側部分に延びる胴周り周縁部を越えて該胴周り周縁部の縦方向上方に延出する。この実施態様の発明は、第２止着域を着用者の胴部に貼付して第２自由部を胴部に止着すると、おむつが第２ずれ止めテープを介して胴部に吊られた状態となる。
【０００９】
本発明の実施態様の他の一例として、第１止着域と第２止着域とには、医療用粘着性ゲルと医療用粘着剤とのうちのいずれか一方が塗布されている。
【発明の効果】
【００１０】
本発明に係るパンツ型の使い捨ておむつによれば、第１ずれ止めテープの第１自由部を展開して第１固定端部の縦方向上方へ伸ばし、胴周り周縁部の縦方向上方に延出する粘着性第１止着域を介して第１自由部を着用者の胴部に止着することで、おむつが第１ずれ止めテープを介して胴部に吊られた状態となり、おむつのずれ下がりが第１ずれ止めテープによって阻止される。このおむつは、着用者の胴部を圧迫することなく、第１ずれ止めテープを利用して着用中におけるおむつの着用位置からのずれ下がりを防ぐことができる。
【００１１】
第２ずれ止めテープが前後胴周り域をつなぐ胴周り両側部分に配置されたおむつでは、第２ずれ止めテープの第２自由部を展開して第２固定端部の縦方向上方へ伸ばし、胴周り周縁部の縦方向上方に延出する粘着性第２止着域を介して第２自由部を着用者の胴部に止着することで、おむつが第２ずれ止めテープを介して胴部に吊られた状態となり、おむつのずれ下がりが第２ずれ止めテープによって阻止される。このおむつは、着用者の胴部を圧迫することなく、第１ずれ止めテープと第２ずれ止めテープとを利用して着用中におけるおむつの着用位置からのずれ下がりを確実に防ぐことができる。
【００１２】
粘着性第１止着域と粘着性第２止着域とに医療用粘着性ゲルと医療用粘着剤とのうちのいずれか一方が塗布されたおむつは、それら止着域が着用者の肌に物理的刺激や化学的刺激を与えることはなく、止着域を着用者の胴部に貼付したとしても、肌がかぶれることはなく、不快なかゆみが発生することもない。
【発明を実施するための最良の形態】
【００１３】
添付の図面を参照し、本発明に係るパンツ型の使い捨ておむつの詳細を説明すると、以下のとおりである。
【００１４】
図１，２は、前胴周り域１１の側から示す使い捨ておむつ１０Ａの部分破断斜視図と、図１の２−２線矢視断面図とである。図１では、横方向を矢印Ｌで示し、縦方向を矢印Ｍで示す。なお、表面シート１４や裏面シート１５、ずれ止めテープ２４，２６の内面とは、おむつ１０Ａを着用した着用者の肌に対向する面をいい、それらシート１４，１５やテープ２４，２６の外面とは、着用者の肌に非対向の面をいう。
【００１５】
おむつ１０Ａは、互いに対向する前胴周り域１１および後胴周り域１３と、それら胴周り域１１，１３の間に位置する股下域１２とを有する。おむつ１０Ａは、肌当接側に位置する透液性表面シート１４と、肌非当接側に位置する不透液性裏面シート１５と、表裏面シート１４，１５の間に介在して前後胴周り域１１，１３間に延びる吸液性コア１６とから構成されている。おむつ１０Ａでは、前後胴周り域１１，１３の胴周り両側部分１７の一部が合掌状に重なり合い、両側部分１７が縦方向へ間欠的に並ぶ多数の熱融着線１８を介して固着されている。前胴周り域１１と後胴周り域１３とは、両側部分１７を介してつながっている。おむつ１０Ａには、胴周り開口１９と一対の脚周り開口２０とが形成されている。
【００１６】
おむつ１０Ａは、胴周り開口１９を囲繞して横方向へ環状に延びる胴周り周縁部２１と、脚周り開口２２を囲繞して縦方向へ環状に延びる脚周り周縁部２２とを有する。前胴周り域１１の横方向中央部分２３の外面には、縦方向へ延びる帯状のずれ止めテープ２４（第１ずれ止めテープ）が配置されている。後胴周り域１３の横方向中央部分２５の外面には、縦方向へ延びる帯状のずれ止めテープ２６（第１ずれ止めテープ）が配置されている。
【００１７】
表面シート１４には、親水性繊維不織布が使用されている。裏面シート１５には、疎水性繊維不織布と通気不透液性プラスチックフィルムとをラミネートした複合シートが使用されている。コア１６は、粒子状や繊維状の高吸収性ポリマーとフラッフパルプとの混合物、または、粒子状や繊維状の高吸収性ポリマーとフラッフパルプと熱可塑性合成樹脂繊維との混合物であり、所定の厚みに圧縮されている。コア１６は、その型崩れを防止するため、全体がティッシュペーパー（図示せず）に包被されている。コア１６は、ティッシュペーパーを介して表裏面シート１４，１５の内外面に接合されている。ずれ止めテープ２４，２６には、繊維不織布が使用されている。
【００１８】
ずれ止めテープ２４は、前胴周り域１１の中央部分２３に固着された固定端部２７（第１固定端部）と、固定端部２７に連なって縦方向へ延びる自由部２８（第１自由部）とから形成されている。固定端部２７は、中央部分２３に延びる胴周り周縁部２１の直下であって前胴周り域１１のコア１６の存在部位２９に位置し、その内面が接着剤６３を介して裏面シート１５の外面に固着されている。自由部２８は、その縦寸法を略二分するように、横方向へ延びる折曲線３０を介して２つに折り畳まれている。自由部２８は、固定端部２７から縦方向下方へ延びる第１部分３１と、折曲線３０から縦方向上方へ延びる第２部分３２とに区分されている。固定端部２７の外面と第１部分３１の外面とには、剥離紙３３が固着されている。第２部分３２の内面には、着用者の胴部に貼付可能な粘着性止着域３４（粘着性第１止着域）が形成されている。第２部分３２の先端には、摘み３５が形成されている。第２部分３２は、固定端部２７の外面と第１部分３１の外面とに重なり、止着域３４を介して端部２７と部分３１との外面（剥離紙３３の外面）に剥離可能に仮着されている。テープ２４では、部分３２が端部２７と部分３１とに仮着されることで、自由部２８の折り畳まれた状態が保持されている。
【００１９】
ずれ止めテープ２６は、後胴周り域１３の中央部分２５に固着された固定端部３６（第１固定端部）と、固定端部３６に連なって縦方向へ延びる自由部３７（第１自由部）とから形成されている。固定端部３６は、中央部分２５に延びる胴周り周縁部２１の直下であって後胴周り域１３のコア１６の存在部位３８に位置し、その内面が接着剤６３を介して裏面シート１５の外面に固着されている。自由部３７は、その縦寸法を略二分するように、横方向へ延びる折曲線３９を介して２つに折り畳まれている。自由部３７は、固定端部３６から縦方向下方へ延びる第１部分４０と、折曲線３９から縦方向上方へ延びる第２部分４１とに区分されている。固定端部３６の外面と第１部分４０の外面とには、剥離紙４２が固着されている。第２部分４１の内面には、着用者の胴部に貼付可能な粘着性止着域４３（粘着性第１止着域）が形成されている。第２部分４１の先端には、摘み４４が形成されている。第２部分４１は、固定端部３６の外面と第１部分４０の外面とに重なり、止着域４３を介して端部３６と部分４０との外面（剥離紙４２の外面）に剥離可能に仮着されている。テープ２６では、部分４１が端部３６と部分４０とに仮着されることで、自由部３７の折り畳まれた状態が保持されている。
【００２０】
それら止着域３４，４３には、医療用粘着性ゲルと医療用粘着剤とのうちのいずれか一方が塗布されている。医療用粘着性ゲルには、非イオン系高分子ハイドロゲルや高分子電解質ゲル、セグメント化ポリウレタンゲル等を使用することができる。医療用粘着剤には、アクリル系粘着剤やシリコーン系粘着剤、ポリビニルエーテル系粘着剤、天然ゴム系粘着剤等を使用することができ、特に、再剥離用アクリル系粘着剤を使用することが好ましい。医療用粘着性ゲルと医療用粘着剤とには、トウガラシエキスやビタミンＥ酢酸エステル、ノニル酸ワニリルアミドのうちの少なくとも１つの血行促進成分が含まれていることが好ましい。
【００２１】
アクリル系粘着剤は、ポリマー自体が粘着性を有しているので、ポリマー単独でもよいが、粘着力を上げるために粘着付与樹脂を添加する場合がある。アクリル系ポリマーは、粘着性を付与する主モノマー、凝集性を付与するコモノマー、架橋点となる官能基含有モノマーとから形成され、ラジカル重合またはアニオン重合にて重合する。主モノマーには、通常ホモポリマーのＴｇが−５０℃以下のアクリル酸アルキルエステルが使用される。コモノマーには、低級アルキル基のアクリル酸エステル、メタクリル酸アルキルエステル、酢酸ビニル、スチレン、アクリロニトリル等の主モノマーと共重合可能でＴｇが高くなるようなモノマーが使用される。それらコモノマーは、凝集性を高めるだけではなく、粘着性や耐水性、透明性、加工性等の性能向上に寄与する。官能基含有モノマーは、粘着剤の架橋点の形成や粘着性を向上させるために使用される。官能基含有モノマーには、アクリル酸やメタクリル酸等のカルボキシル基含有モノマー、水酸基、エポキシ基、アミノ基等が使用される。
【００２２】
ずれ止めテープ２４，２６は、横方向の長さ寸法が３０〜７０ｍｍの範囲、縦方向の長さ寸法が１００〜１５０ｍｍの範囲にある。なお、固定端部２７，３６と第１部分３１，４０との外面には、剥離紙３３，４２ではなく、離型処理が施されていてもよい。離型処理の一例としては、固定端部２７，３６と第１部分３１，４０との外面にシリコーンを塗布する。
【００２３】
胴周り周縁部２１は、コア１６の端縁４５から縦方向外方へ延びる表裏面シート１４，１５の端部４６，４７から形成されている。胴周り周縁部２１では、表裏面シート１４，１５の端部４６，４７が重なり合い、それらシート１４，１５の内外面が固着されている。胴周り周縁部２１には、横方向へ環状に延びる複数条の胴周り用弾性部材４８が収縮可能に取り付けられている。胴周り用弾性部材４８は、表面シート１４の端部４６と裏面シート１５の端部４７との間に介在し、横方向へ所定の倍率に伸長させた状態でそれらシート１４，１５の内外面に固着されている。
【００２４】
胴周り両側部分１７と脚周り周縁部２２とは、コア１６の側縁４９から横方向外方へ延びる表裏面シート１４，１５の側部５０，５１から形成されている。胴周り両側部分１７と脚周り周縁部２２とでは、表裏面シート１４，１５の側部５０，５１が重なり合い、それらシート１４，１５の内外面が固着されている。脚周り周縁部２２には、縦方向へ環状に延びる複数条の脚周り用弾性部材５２が収縮可能に取り付けられている。脚周り用弾性部材５２は、表面シート１４の側部５０と裏面シート１５の側部５１との間に介在し、縦方向へ所定の倍率に伸長させた状態でそれらシート１４，１５の内外面に固着されている。
【００２５】
図３，４は、着用状態で示す図１のおむつ１０Ａの斜視図と、図３の４−４線矢視断面図とである。図３，４では、着用者６４を二点差線で示す。おむつ１０Ａを着用する手順は、以下のとおりである。着用者６４の両脚を胴周り開口１９から脚周り開口２０に通し、おむつ１０Ａを着用者６４の胴部に引き上げた後、ずれ止めテープ２４，２６の摘み３５，４４を摘持して第２部分３２，４１を固定端部２７，３６と第１部分３１，４０との外面から剥がし、自由部２８，３７を展開して固定端部２７，３６の縦方向上方へ伸ばす。自由部２８，３７を固定端部２７，３６の上方へ伸ばすと、第１部分３１，４０が胴周り周縁部２１に位置し、第２部分３２，４１とともに止着域３４，４３が中央部分２３，２５に延びる胴周り周縁部２１を越えて周縁部２１の縦方向上方に延出する。次に、止着域３４を胴周り周縁部２１の上方に位置する着用者６４の腹（胴部）に貼付して第２部分３２を胴部に止着し、止着域４３を胴周り周縁部２１の上方に位置する着用者６４の背（胴部）に貼付して第２部分４１を胴部に止着する。第２部分３２，４１を着用者６４の胴部に止着すると、おむつ１０Ａがずれ止めテープ２４，２６を介して胴部に吊られた状態となる。おむつ１０Ａの着用中に排泄された尿や大便等の排泄物は、表面シート１４を透過してコア１６に吸収保持される。
【００２６】
おむつ１０Ａは、その着用中に着用者６４の動作や排泄物を吸収したコア１６の重量によって着用位置から不用意にずれ下がる場合がある。しかし、このおむつ１０Ａは、その着用中に着用位置からずれ下がろうとしても、おむつ１０Ａのずれ下がりがテープ２４，２６によって阻止されるので、テープ２４，２６を利用しておむつ１０Ａの着用位置からのずれ下がりを防ぐことができる。おむつ１０Ａは、背景技術のそれと比較し、前後胴周り域１１，１３や胴周り周縁部２１に必要以上の胴周り用弾性部材を取り付けることなくそのずれ下がりを防ぐことができ、着用中に着用者６４の胴部を圧迫することはなく、着用者６４に不快な圧迫感を与えることがない。おむつ１０Ａは、テープ２４，２６の固定端部２７，３６が前後胴周り域１１，１３のコア１６の存在部位２９，３８に固着され、コア１６がテープ２４，２６を介して着用者６４の胴部に吊られた状態となるので、コア１６が多量の排泄物を吸収してその重量が増加したとしても、コア１６の重量増加にともなうおむつ１０Ａのずれ下がりを防ぐことができる。
【００２７】
おむつ１０Ａは、止着域３４，４３に医療用粘着性ゲルと医療用粘着剤とのうちのいずれか一方が塗布されているので、止着域３４，４３が着用者６４の肌に物理的刺激や化学的刺激を与えることはなく、止着域３４，４３を着用者６４の胴部に貼付したとしても、肌がかぶれることはなく、不快なかゆみが発生することもない。
【００２８】
なお、このおむつ１０Ａは、ずれ止めテープが前胴周り域１１の横方向中央部分２３のみに取り付けられ、後胴周り域１３の横方向中央部分２５にずれ止めテープが取り付けられていなくてもよい。また、止着域３４，４３は、第２部分３２，４１のうちの固定端部２７，３６の外面に重なる位置と第１部分３１，４０の外面に重なる位置との少なくとも一方に形成されていればよい。この場合、第２部分３２，４１は、固定端部２７，３６と第１部分３１，４０との少なくとも一方の外面に剥離可能に仮着される。
【００２９】
図５，６は、胴周り両側部分１７の側から示す他の一例の使い捨ておむつ１０Ｂの部分破断斜視図と、図５の６−６線矢視断面図とである。図５では、横方向を矢印Ｌで示し、縦方向を矢印Ｍで示す。おむつ１０Ｂは、互いに対向する前胴周り域１１および後胴周り域１３と、それら胴周り域１１，１３の間に位置する股下域１２とを有する。おむつ１０Ｂは、肌当接側に位置する透液性表面シート１４および肌非当接側に位置する不透液性裏面シート１５と、表裏面シート１４，１５の間に介在して前後胴周り域１１，１３間に延びる吸液性コア１６とから構成されている。
【００３０】
おむつ１０Ｂでは、前後胴周り域１１，１３の胴周り両側部分１７の一部が合掌状に重なり合い、両側部分１７が縦方向へ間欠的に並ぶ多数の熱融着線１８を介して固着されている。前胴周り域１１と後胴周り域１３とは、両側部分１７を介してつながっている。おむつ１０Ｂには、胴周り開口１９と一対の脚周り開口２０とが形成されている。おむつ１０Ｂは、横方向へ環状に延びる胴周り周縁部２１と、縦方向へ環状に延びる脚周り周縁部２２とを有する。前後胴周り域１１，１３の横方向中央部分２３，２５の外面には、縦方向へ延びる帯状のずれ止めテープ２４，２６（第１ずれ止めテープ）が配置されている。胴周り両側部分１７の外面には、縦方向へ延びる帯状のずれ止めテープ５３，５４（第２ずれ止めテープ）が配置されている。
【００３１】
表面シート１４には図１のそれと同一の親水性繊維不織布が使用され、裏面シート１５には図１のそれと同一の複合シートが使用されている。コア１６は、図１のそれと同一の混合物であり、所定の厚みに圧縮されている。コア１６は、全体がティッシュペーパー（図示せず）に包被されている。コア１６は、ティッシュペーパーを介して表裏面シート１４，１５の内外面に接合されている。それらずれ止めテープ２４，２６，５３，５４には、繊維不織布が使用されている。テープ２４，２６は図１のそれと同一であるので、図１と同一の符合を付してその説明は省略する。
【００３２】
ずれ止めテープ５３，５４は、両側部分１７の外面に固着された固定端部５５（第２固定端部）と、固定端部５５に連なって縦方向へ延びる自由部５６（第２自由部）とから形成されている。固定端部５５は、両側部分１７に延びる胴周り周縁部２１の直下に位置し、その内面が接着剤６５を介して裏面シート１５の外面に固着されている。自由部５６は、その縦寸法を略二分するように、横方向へ延びる折曲線５７を介して２つに折り畳まれている。自由部５６は、固定端部５５から縦方向下方へ延びる第３部分５８と、折曲線５７から縦方向上方へ延びる第４部分５９とに区分されている。固定端部５５の外面と第３部分５８の外面とには、剥離紙６０が固着されている。第４部分５９の内面には、着用者の胴部に貼付可能な粘着性止着域６１（粘着性第２止着域）が形成されている。第４部分５９の先端には、摘み６２が形成されている。第４部分５９は、固定端部５５の外面と第３部分５８の外面とに重なり、止着域６１を介して端部５５と部分５８との外面（剥離紙６０の外面）に剥離可能に仮着されている。テープ５３，５４では、部分５９が端部５５と部分５８とに仮着されることで、自由部５６の折り畳まれた状態が保持されている。
【００３３】
粘着性止着域３４，４３，６１には、医療用粘着性ゲルと医療用粘着剤とのうちのいずれか一方が塗布されている。医療用粘着性ゲルや医療用粘着剤には、図１のおむつ１０Ａにおいて例示したそれらと同一の素材を使用することができる。ずれ止めテープ２４，２６の横方向の長さ寸法や縦方向の長さ寸法は、図１のテープ２４，２６のそれらと同一である。ずれ止めテープ５３，５４は、横方向の長さ寸法が３０〜７０ｍｍの範囲、縦方向の長さ寸法が１００〜１５０ｍｍの範囲にある。なお、固定端部５５と第３部分５８との外面には、剥離紙６０ではなく、シリコーンを塗布する離型処理が施されていてもよい。また、止着域６１は、第４部分５９のうちの固定端部５５の外面に重なる位置と第３部分５８の外面に重なる位置との少なくとも一方に形成されていればよい。この場合、第４部分５９は、固定端部５５と第３部分５８との少なくとも一方の外面に剥離可能に仮着される。
【００３４】
胴周り周縁部２１は、コア１６の端縁４５から縦方向外方へ延びる表裏面シート１４，１５の端部４６，４７から形成されている。胴周り周縁部２１では、互いに重なり合う表裏面シート１４，１５の内外面が固着されている。胴周り周縁部２１には、横方向へ環状に延びる複数条の胴周り用弾性部材４８が収縮可能に取り付けられている。胴周り用弾性部材４８は、表面シート１４の端部４６と裏面シート１５の端部４７との間に介在し、それらシート１４，１５の内外面に固着されている。
【００３５】
胴周り両側部分１７と脚周り周縁部２２とは、コア１６の側縁４９から横方向外方へ延びる表裏面シート１４，１５の側部５０，５１から形成されている。胴周り両側部分１７と脚周り周縁部２２とでは、互いに重なり合う表裏面シート１４，１５の内外面が固着されている。脚周り周縁部２２には、縦方向へ環状に延びる複数条の脚周り用弾性部材５２が収縮可能に取り付けられている。脚周り用弾性部材５２は、表面シート１４の側部５０と裏面シート１５の側部５１との間に介在し、それらシート１４，１５の内外面に固着されている。
【００３６】
図７，８は、着用状態で示す図５のおむつ１０Ｂの斜視図と、図７の８−８線矢視断面図とである。図７，８では、着用者６４を仮想線で示す。おむつ１０Ｂを着用する手順は、以下のとおりである。着用者６４の両脚を胴周り開口１９から脚周り開口２０に通し、おむつ１０Ｂを着用者６４の胴部に引き上げた後、ずれ止めテープ２４，２６，５３，５４の摘み３５，４４，６２を摘持して第２および第４部分３２，４１，５９を固定端部２７，３６，５５と第１および第３部分３１，４０，５８との外面から剥がし、自由部２８，３７，５６を展開して固定端部２７，３６，５５の縦方向上方へ伸ばす。自由部２８，３７，５６を固定端部２７，３６，５５の上方へ伸ばすと、第２部分３２，４１とともに止着域３４，４３が中央部分２３，２５に延びる胴周り周縁部２１を越えて周縁部２１の縦方向上方に延出するとともに、第４部分５９とともに止着域６１が両側部分１７に延びる胴周り周縁部２１を越えて周縁部２１の縦方向上方に延出する。次に、止着域３４を胴周り周縁部２１の上方に位置する着用者６４の腹（胴部）に貼付して第２部分３２を胴部に止着し、止着域４３を胴周り周縁部２１の上方に位置する着用者６４の背（胴部）に貼付して第２部分４１を胴部に止着し、さらに、止着域６１を胴周り周縁部２１の上方に位置する着用者６４の脇腹（胴部）に貼付して第４部分５９を胴部に止着する。第２および第４部分３２，４１，５９を着用者６４の胴部に止着すると、おむつ１０Ｂがそれらずれ止めテープ２４，２６，５３，５４を介して胴部に吊られた状態となる。おむつ１０Ｂの着用中に排泄された尿や大便等の排泄物は、表面シート１４を透過してコア１６に吸収保持される。
【００３７】
おむつ１０Ｂは、その着用中に着用者６４の動作や排泄物を吸収したコア１６の重量によって着用位置から不用意にずれ下がる場合がある。しかし、このおむつ１０Ｂは、その着用中に着用位置からずれ下がろうとしても、おむつ１０Ｂのずれ下がりがテープ２４，２６，５３，５４によって阻止されるので、テープ２４，２６，５３，５４を利用しておむつ１０Ｂの着用位置からのずれ下がりを防ぐことができる。おむつ１０Ｂは、ずれ止めテープ２４，２６，５３，５４が前後胴周り域１１，１３の横方向中央部分２３，２５と胴周り両側部分１７とに配置され、おむつ１０Ｂが４つのテープ２４，２６，５３，５４を介して着用者６４の胴部に吊られるので、おむつが２つのテープ２４，２６を介して胴部に吊られる図１のおむつ１０Ａと比較し、着用中におけるおむつ１０Ｂの着用位置からのずれ下がりを確実に防ぐことができる。
【００３８】
おむつ１０Ｂは、前後胴周り域１１，１３や胴周り周縁部２１に必要以上の胴周り用弾性部材を取り付けることなくそのずれ下がりを防ぐことができ、着用中に着用者６４の胴部を圧迫することはなく、着用者６４に不快な圧迫感を与えることがない。おむつ１０Ｂは、テープ２４，２６の固定端部２７，３６が前後胴周り域１１，１３のコア１６の存在部位２９，３８に固着され、コア１６がテープ２４，２６を介して着用者６４の胴部に吊られた状態となるので、コア１６が多量の排泄物を吸収してその重量が増加したとしても、コア１６の重量増加にともなうおむつ１０Ｂのずれ下がりを防ぐことができる。
【００３９】
おむつ１０Ｂは、それら止着域３４，４３，６１に医療用粘着性ゲルと医療用粘着剤とのうちのいずれか一方が塗布されているので、止着域３４，４３，６１が着用者６４の肌に物理的刺激や化学的刺激を与えることはなく、止着域３４，４３，６１を着用者６４の胴部に貼付したとしても、肌がかぶれることはなく、不快なかゆみが発生することもない。
【００４０】
表面シート１４には、親水性繊維不織布の他に、微細な多数の開孔を有する疎水性繊維不織布を使用することもできる。裏面シート１５には、複合シートの他に、疎水性繊維不織布、通気不透液性プラスチックフィルム、２枚以上の疎水性繊維不織布をラミネートした複合不織布のいずれかを使用することもできる。裏面シート１５には、高い耐水性を有するメルトブローン不織布の両面または片面に高い強度と良好な柔軟性とを有するスパンボンド不織布を重ね合わせた複合不織布（ＳＭ不織布、ＳＭＳ不織布、ＳＭＭＳ不織布）を使用することもできる。弾性部材４８，５２には、天然ゴムまたは合成ゴムを使用することができる。ずれ止めテープ２４，２６，５３，５４には、繊維不織布の他に、通気性プラスチックフィルム、２枚以上の繊維不織布をラミネートした複合不織布、繊維不織布と通気性プラスチックフィルムとをラミネートした複合シートのいずれかを使用することもできる。
【００４１】
繊維不織布には、スパンレース、ニードルパンチ、メルトブローン、サーマルボンド、スパンボンド、ケミカルボンドの各製法により製造された不織布を使用することができる。不織布の構成繊維には、ポリエステル系、ポリアクリロニトリル系、ポリ塩化ビニル系、ポリエチレン系、ポリプロピレン系、ポリスチレン系を使用することができる。構成繊維には、芯鞘型複合繊維、並列型複合繊維、異型中空繊維、微多孔繊維、接合型複合繊維を使用することもできる。
【００４２】
表裏面シート１４，１５どうしの固着、シート１４，１５に対するコア１６の接合、シート１５に対するテープ２４，２６，５３，５４の固着、シート１４，１５に対する弾性部材４８，５２の固着には、接着剤、または、ヒートシールやソニックシール等の熱による溶着手段を利用することができる。接着剤には、ホットメルト型接着剤やアクリル系接着剤、ゴム系接着剤を使用することができる。
【図面の簡単な説明】
【００４３】
【図１】前胴周り域の側から示す使い捨ておむつの部分破断斜視図。
【図２】図１の２−２線矢視断面図。
【図３】着用状態で示す図１のおむつの斜視図。
【図４】図３の４−４線矢視断面図。
【図５】胴周り両側部分の側から示す他の一例の使い捨ておむつの部分破断斜視図。
【図６】図５の６−６線矢視断面図。
【図７】着用状態で示す図５のおむつの斜視図。
【図８】図７の８−８線矢視断面図。
【符号の説明】
【００４４】
１０Ａ    パンツ型の使い捨ておむつ
１０Ｂ    パンツ型の使い捨ておむつ
１１    前胴周り域
１２    股下域
１３    後胴周り域
１４    透液性表面シート
１５    不透液性裏面シート
１６    吸液性コア
１７    横方向両側部分
１９    胴周り開口
２０    脚周り開口
２１    胴周り周縁部
２２    脚周り周縁部
２３    横方向中央部分
２４    ずれ止めシート（第１ずれ止めシート）
２５    横方向中央部分
２６    ずれ止めシート（第１ずれ止めシート）
２７    固定端部（第１固定端部）
２８    自由部（第１自由部）
２９    存在部位
３０    折曲線
３１    第１部分
３２    第２部分
３３    剥離紙
３４    粘着性止着域（粘着性第１止着域）
３６    固定端部（第１固定端部）
３７    自由部（第１自由部）
３８    存在部位
３９    折曲線
４０    第１部分
４１    第２部分
４２    剥離紙
４３    粘着性止着域（粘着性第１止着域）
５３    ずれ止めシート（第２ずれ止めシート）
５４    ずれ止めシート（第２ずれ止めシート）
５５    固定端部（第２固定端部）
５６    自由部（第２自由部）
５７    折曲線
５８    第３部分
５９    第４部分
６０    剥離紙
６１    粘着性止着域（粘着性第２止着域）
【図１】
2005319010.tif 000003
【図２】
2005319010.tif 000004
【図３】
2005319010.tif 000005
【図４】
2005319010.tif 000006
【図５】
2005319010.tif 000007
【図６】
2005319010.tif 000008
【図７】
2005319010.tif 000009
【図８】
2005319010.tif 000010